(57)【要約】【課題】配管点検口への点検口蓋の取り付け・取り外し作業を手間をかけずにワンタッチで行なうこと。点検口蓋の外観を良好にすること。【解決手段】カラン１近傍の壁面２にカラン１への配管部材３を露出させるための配管点検口４を穿設し、配管点検口４を前方Ａから覆う点検口蓋５の裏面５ａ側に、点検口蓋５で配管点検口４を塞いだ状態で配管点検口４に挿入されてカラン１への配管部材３に対して着脱自在に嵌合することができる嵌合部材６を設けた。【選択図】図１
2007186931.tif 000002
【特許請求の範囲】
【請求項１】
カラン近傍の壁面にカランへの配管部材を露出させるための配管点検口を穿設し、配管点検口を前方から覆う点検口蓋の裏面側に、点検口蓋で配管点検口を塞いだ状態で配管点検口に挿入されてカランへの配管部材に対して着脱自在に嵌合することができる嵌合部材を設けたことを特徴とする点検口蓋の取付構造。
【請求項２】
上記点検口蓋の一辺に、配管点検口の縁部に引っ掛けられる引掛部を設け、引掛部を配管点検口の縁部に引っ掛けた状態で嵌合部材がカランへの配管部材に対して嵌合可能となっていることを特徴とする請求項１記載の点検口蓋の取付構造。
【請求項３】
上記配管点検口の下方の壁面から前方に向かって洗面器カウンターが突設され、配管点検口を覆う点検口蓋の前面中央部分に洗面器カウンター上に載置される洗面器の一部が収納可能となるように後方に凹んだ凹み部を設けたことを特徴とする請求項１記載の点検口蓋の取付構造。
【発明の詳細な説明】
【技術分野】
【０００１】
本発明は、点検口蓋の取付構造に関し、詳しくは、カラン近傍の壁面に、該壁面の背後に設置されるカランへの配管部材を点検するための配管点検口を穿設し、配管点検口に対して点検口蓋を取り付ける構造に関するものである。
【背景技術】
【０００２】
従来より、浴槽横のエプロンに点検口を設け、この点検口に点検口蓋を取り付けたものが特許文献１において知られている。
【０００３】
また従来より、例えば図５、図６に示すように、カラン１近傍の壁面２に点検口４を穿設し、この点検口４から、カラン１への給湯・給水管の接続工事或いは配管の点検等を行なえるようにしたものが一般に知られている。この従来例では、点検口蓋５´の外周縁部５ｂにネジ孔５０を設け、ネジ孔５０から点検口４の周囲の壁面２にネジ止めすることにより、点検口４に対して点検口蓋５´を着脱自在に取り付けると共に、ネジ５１の締め付けによってパッキン材１３を圧縮して、点検口４と点検口蓋５´との間の防水性を確保している。
【０００４】
ところが、従来では点検口蓋５´をネジ止めしているため、点検口蓋５´の取り付け・取り外しに非常に手間がかかるという問題がある。しかも、点検口蓋５´の外周縁部５ｂにネジ孔５０を設けるためのスペースを確保する必要があり、このため点検口４に対して点検口蓋５´の縦横のサイズＤ１，Ｄ２が大きくなるという問題がある。そのうえ、ネジ５１が浴室内から見えることで点検口蓋５´の外観が損なわれるという問題や、ネジ５１が水で濡れて錆び付き易くなり、ネジ５１の取り外しができなくなるといった問題もある。
【特許文献１】特開平８−１５００９３号公報
【発明の開示】
【発明が解決しようとする課題】
【０００５】
本発明は上記の従来の問題点に鑑みて発明したものであって、点検口蓋を配管点検口の周囲にネジ締めする作業が一切不要となり、配管点検口に対する点検口蓋の取り付け・取り外し作業を手間をかけずにワンタッチで簡単に行なうことができ、しかも、点検口蓋の外観を良好にできる点検口蓋の取付構造を提供することを課題とするものである。
【課題を解決するための手段】
【０００６】
前記課題を解決するために本発明は、カラン１近傍の壁面２にカラン１への配管部材３を露出させるための配管点検口４を穿設し、配管点検口４を前方Ａから覆う点検口蓋５の裏面５ａ側に、点検口蓋５で配管点検口４を塞いだ状態で配管点検口４に挿入されてカラン１への配管部材３に対して着脱自在に嵌合することができる嵌合部材６を設けたことを特徴としている。
【０００７】
このような構成とすることで、点検口蓋５の嵌合部材６をカラン１への配管部材３に着脱自在に嵌め込むだけで、配管点検口４を点検口蓋５で覆うことができるので、従来のような点検口蓋５を配管点検口４の周囲にネジ締めする作業が一切不要となる。また点検口蓋５の外周縁部５ｂに従来のようなネジ孔を設けるためのスペースが不要となるため、点検口蓋５の縦横のサイズｄ１，ｄ２を従来よりも小さく抑えることができると共に、点検口蓋５の外観がネジで損なわれることもなくなる。
【０００８】
また、上記点検口蓋５の一辺に、配管点検口４の縁部４ａに引っ掛けられる引掛部７を設け、引掛部７を配管点検口４の縁部４ａに引っ掛けた状態で嵌合部材６がカラン１への配管部材３に対して嵌合可能となっているのが好ましく、この場合、引掛部７によって点検口蓋５が位置決めされるので、点検口蓋５の保持を嵌合部材６と引掛部７とで行なうことができ、点検口蓋５の取り付け状態をより安定化させることができる。
【０００９】
また、上記配管点検口４の下方の壁面２から前方Ａに向かって洗面器カウンター８が突設され、配管点検口４を覆う点検口蓋５の前面中央部分に洗面器カウンター８上に載置される洗面器９の一部が収納可能となるように後方Ｂに凹んだ凹み部１０を設けるのが好ましく、この場合、洗面器カウンター８上に載置した洗面器９の一部を凹み部１０内に収納でき、従って、洗面器カウンター８の奥行き寸法Ｇを短くした場合でも、洗面器９を洗面器カウンター８上に安定良く載置できるようになる。
【発明の効果】
【００１０】
本発明は、点検口蓋の裏面側に、点検口蓋で配管点検口を塞いだ状態で配管点検口に挿入されてカランへの配管部材に対して着脱自在に嵌合することができる嵌合部材を設けたことにより、従来のように点検口蓋を配管点検口の周囲にネジ締めする必要がなくなり、配管点検口に対する点検口蓋の取り付け・取り外し作業を手間をかけずにワンタッチで簡単に行なえると共に、点検口蓋の外観を良好にできる効果が得られる。
【発明を実施するための最良の形態】
【００１１】
以下、本発明を添付図面に示す実施形態に基いて説明する。
【００１２】
図１は浴室ユニットにおける点検口蓋５の取付構造の一例を示し、図２は一部破断斜視図を示している。給水・給湯用のカラン１近傍の壁面２には配管点検口４が穿設されている。本例では、カラン１への配管部材３がカラン１の下方に延びており、カラン１の下方の壁面２に配管点検口４を穿設しており、この配管点検口４から、カラン１への配管部材３と給湯管１１・給水管１２との接続工事或いは点検作業等を行なえるようにしている。なお配管点検口４の位置はカラン１への配管部材３の位置に応じて適宜変更自在であり、カラン１への配管部材３がカラン１の横方向或いは上方向に延びている場合は、カラン１の横方向或いは上方向に配管点検口４が穿設される。
【００１３】
上記配管点検口４は点検口蓋５にて前方Ａから覆われる。点検口蓋５は配管点検口４よりも一回り大きく形成されているが、点検口蓋５の外周縁部５ｂには従来のようなネジ孔は設けられていない。
【００１４】
上記点検口蓋５の裏面５ａから、左右一対の嵌合部材６が突設されている。嵌合部材６は、点検口蓋５で配管点検口４を塞いだ状態で配管点検口４に挿入されてカラン１への配管部材３に対して着脱自在に嵌合するものである。本例の嵌合部材６は、図２に示すように、点検口蓋５の裏面５ａに固定される基部６ａと、配管部材３を左右から挟み付けて保持するための後方Ｂに開口した平面視で略Ｃ字形断面のバネクリップ部６ｂとが一体形成されている。バネクリップ部６ｂは例えば薄いバネ板材を略Ｃ字形断面となるように折り曲げたものであり、さらに配管部材３がバネクリップ部６ｂ内部に嵌まり込み易くなるように、バネクリップ部６ｂの開口６ｃを喇叭状に拡開させ、この開口６ｃとバネクリップ部６ｂとの間に幅狭のくびれ部６ｄを形成したものである。なおバネクリップ部６ｂの構成材料として金属材料に限らず、プラスチック材料であってもよい。
【００１５】
ここで、バネクリップ部６ｂのくびれ部６ｄは配管部材３の外径寸法Ｄよりも狭く形成され、バネクリップ部６ｂを配管部材３に嵌め込んだ状態（図２の状態）で配管部材３がくびれ部６ｄによって抜け止めされるものである。また本例では点検口蓋５の外周縁部５ｂと配管点検口４の周囲の壁面２との間に環状のパッキン材１３が介在され、バネクリップ部６ｂが配管部材３に嵌め込まれた状態で、パッキン材１３が圧縮されて防水性が確保されるようになっている。
【００１６】
上記点検口蓋５を配管点検口４に取り付けるにあたって、点検口蓋５を前方Ａから配管点検口４に押し付けるだけで、点検口蓋５の裏面５ａから突設した左右の嵌合部材６の各バネクリップ部６ｂが左右の配管部材３にそれぞれ嵌め込まれた状態となる。このとき、バネクリップ部６ｂの喇叭状の開口６ｃが開いて配管部材３をバネクリップ部６ｂの内側に誘導する。そして、配管部材３がバネクリップ部６ｂの内側に嵌り込んだ状態でバネクリップ部６ｂのくびれ部６ｄにて配管部材３が抜け止め状態となる。このときバネクリップ部６ｂのクリック感が得られるので、作業者は、バネクリップ部６ｂが配管部材３に確実に嵌合したことを直ちに認識できる。
【００１７】
従って、従来のような点検口蓋５のネジ締め作業が一切不要となり、点検口蓋５の取り付け・取り外し作業を手間をかけずにワンタッチで簡単に行なうことができる。また配管点検口４の内側において配管部材３をバネクリップ部６ｂで挟み付ける取付方式を採用することで、点検口蓋５の大きさを配管点検口４に対して極力小さくできる。つまり、点検口蓋５の外周縁部５ｂにネジ締めのためのスペースを設ける必要がないため、点検口蓋５の縦横のサイズｄ１，ｄ２を従来の縦横のサイズＤ１，Ｄ２（図５）よりも小さく抑えることができる。さらに、点検口蓋５の外観がネジで損なわれたり、ネジが水で濡れて錆び付いたりすることもないため、点検口蓋５の外観を良好にできるものである。
【００１８】
なお、配管部材３を点検する際は、点検口蓋５の外周縁部５ｂと配管点検口４の周囲の壁面２との隙間に例えばマイナスドライバーの先端を挿入して該先端を回転させることにより、点検口蓋５を前方Ａに押し開くと、配管部材３を挟み付けているバネクリップ部６ｂが配管部材３から離脱することによって点検口蓋５をワンタッチで外すことができる。
【００１９】
また本例では、点検口蓋５は左右の嵌合部材６を介して左右２本の配管部材３により支持されるので、点検口蓋５の取り付け状態を一層安定化させることができる。しかもバネクリップ部６ｂは上下に延びた配管部材３に沿って上下動可能であるため、点検口蓋５の上下のずれを容易に修正できる利点がある。さらに、配管部材３の位置がバネクリップ部６ｂに対して左右に若干ずれている場合であっても、このような配管部材３の配管位置の狂いをバネクリップ部６ｂの弾性力にて吸収できるので、左右の配管位置の狂いにも十分に対応できるようになる。
【００２０】
さらに本例では、点検口蓋５の下端部に左右一対の引掛部７を設け、各引掛部７を配管点検口４の下縁部４ａに引っ掛けるようにしている。本例の引掛部７は、図２に示すように、点検口蓋５の裏面５ａから後方Ｂに向けて突出する水平片７ａと水平片７ａの先端から斜め後ろ下方に向かって垂下する垂下片７ｂとで形成されている。これにより、引掛部７が配管点検口４の下縁部４ａに引っ掛けやすくなり、引掛部７による位置決めが一層容易となるので、点検口蓋５の取り付け時及び取り付け後に点検口蓋５がずれ動くことがなくなる。従って、点検口蓋５の保持を左右のバネクリップ部６ｂと左右の引掛部７とで行なうことができるので、点検口蓋５の取り付け状態をより安定化させることができる。なお引掛部７の数は特に限定されない。
【００２１】
なお前記実施形態では点検口蓋５とバネクリップ部６ｂとを一体化した場合を説明したが、必ずしも一体である必要はなく、別体のバネクリップ部６ｂを点検口蓋５の裏面５ａに着脱可能に固定してもよい。この場合、配管部材３の位置に応じて嵌合部材６の位置を適宜変更自在となり、様々な配管部材３に対応可能となる。
【００２２】
図３は本発明の点検口蓋５の他の実施形態を示し、図４はその一部破断斜視図を示している。本例では配管点検口４の下方の壁面２から前方Ａに向かって洗面器カウンター８が突設され、配管点検口４を覆う点検口蓋５の前面中央部分に洗面器カウンター８上に載置される洗面器９の一部が収納可能となるように後方Ｂに凹んだ凹み部１０が設けられている。なお、点検口蓋６の裏面と配管部材３とが干渉しない範囲で凹み部１０の凹み幅Ｈが設定される。他の構成は図１、図２と同様である。本例では、洗面器カウンター８上に載置した洗面器９の一部を、凹み部１０の内側に収納できるので、洗面器カウンター８の奥行き寸法Ｇを短くした場合でも、洗面器９を洗面器カウンター８上に安定良く載置できるようになり、また洗面器カウンター８の前方Ａへの突出幅Ｇを短くすることで、床の有効使用面積をその分だけ大きくできる利点もある。
【００２３】
本発明に係る点検口蓋の取付構造は、浴室ユニットルーム用の配管点検口に使用されるだけでなく、シャワー室ユニットのような水密性が要求される他のユニットルームに設けられる配管点検口にも広く使用されるのは勿論である。
【図面の簡単な説明】
【００２４】
【図１】本発明の一実施形態の点検口蓋の取付構造の一例を示す斜視図である。
【図２】図１の一部破断斜視図である。
【図３】同上の点検口蓋の他の実施形態を示す斜視図である。
【図４】図３の一部破断斜視図である。
【図５】従来の配管点検口に点検口蓋をネジ止めする場合を説明する斜視図である。
【図６】従来のネジ止め状態を説明する破断斜視図である。
【符号の説明】
【００２５】
１  カラン
２  壁面
３  配管部材
４  配管点検口
５  点検口蓋
５ａ  裏面
６  嵌合部材
７  引掛部
８  洗面器カウンター
９  洗面器
１０  凹み部
Ａ  前方
Ｂ  後方
【図１】
2007186931.tif 000003
【図２】
2007186931.tif 000004
【図３】
2007186931.tif 000005
【図４】
2007186931.tif 000006
【図５】
2007186931.tif 000007
【図６】
2007186931.tif 000008